(57)【要約】【課題】２色性蛍光体を用いたカラー表示の際に、見る方向による視認性の違いを低減した色変換基板を提供する。【解決手段】色変換基板は、複数の画素領域２が配列された主表面を有する基板と、前記主表面の少なくとも一部を覆う２色性蛍光体層とを備える。画素領域２の各々は、異なる色をそれぞれ発現する複数の副画素領域３を含んでいる。１つの副画素領域３の内部は、前記２色性蛍光体層内の蛍光体分子が第１の配列方向に揃えられている第１配列方向領域３１と、前記２色性蛍光体層内の蛍光体分子が前記第１の配列方向と直交する第２の配列方向に揃えられている第２配列方向領域３２とを含む。【選択図】図６
2014089332.tif 000002
【特許請求の範囲】
【請求項１】
複数の画素領域が配列された主表面を有する基板と、
前記主表面の少なくとも一部を覆う２色性蛍光体層とを備え、
前記画素領域の各々は、異なる色をそれぞれ発現する複数の副画素領域を含んでおり、
１つの前記副画素領域の内部は、前記２色性蛍光体層内の蛍光体分子が第１の配列方向に揃えられている第１配列方向領域と、前記２色性蛍光体層内の蛍光体分子が前記第１の配列方向と直交する第２の配列方向に揃えられている第２配列方向領域とを含む、色変換基板。
【請求項２】
前記第２配列方向領域においては、前記２色性蛍光体層よりも入射側に入射光の偏光方向を９０°ずらして透過させる位相差板が配置されており、前記第１配列方向領域には、前記位相差板は配置されていない、請求項１に記載の色変換基板。
【請求項３】
１つの前記画素領域に属する前記複数の副画素領域は、
前記２色性蛍光体層が紫外光を受光することによって、赤色で発光する性質を有する第１副画素領域と、
前記２色性蛍光体層が紫外光を受光することによって、緑色で発光する性質を有する第２副画素領域と、
前記２色性蛍光体層が紫外光を受光することによって、青色で発光する性質を有する第３副画素領域とを含む、請求項１または２に記載の色変換基板。
【請求項４】
１つの前記画素領域に属する前記複数の副画素領域は、
前記２色性蛍光体層が青色光を受光することによって、赤色で発光する性質を有する第１副画素領域と、
前記２色性蛍光体層が青色光を受光することによって、緑色で発光する性質を有する第２副画素領域と、
青色光を受光することによって、青色光のまま透過または散乱させる性質を有する第３副画素領域とを含む、請求項１または２に記載の色変換基板。
【請求項５】
請求項２に記載の色変換基板と、液晶表示パネルと、光源とを備える、表示装置。
【請求項６】
請求項３に記載の色変換基板と、光シャッタと、紫外光源とを備える、表示装置。
【請求項７】
請求項４に記載の色変換基板と、光シャッタと、青色光源とを備える、表示装置。
【発明の詳細な説明】
【技術分野】
【０００１】
本発明は、色変換基板およびこれを備える表示装置に関するものである。
【背景技術】
【０００２】
表示装置においては、光シャッタによって表示すべき画像内容が設定され、バックライトから供給される光によってこの画像内容がユーザに見えるように表示されるという方式が従来から実用化されている。たとえば液晶表示パネルとバックライトとを組み合わせて構成される表示装置がある。従来の一般的なバックライトは白色光源であった。一般的に、バックライトは、ＬＥＤ、冷陰極管などの光源と、導光板とを含む。バックライトの出射面に、光学シートが重ねられ、そのさらに出射側に光シャッタが配置される。液晶表示パネルは、２枚の偏光板と、２枚の透明基板と、これら２枚の透明基板の間に封入された液晶層とを含む。この場合、液晶層が光シャッタの役割を果たす。２枚の透明基板のうち一方の透明基板の液晶層側の表面にはＴＦＴ素子を含むパターンが形成されている。さらにカラー表示を行なう場合、他方の透明基板の液晶層側の表面にはカラーフィルタが形成されている。バックライトから入射した白色光は光シャッタとしての液晶層を透過し、さらにカラーフィルタを透過することによって色の付いた光となり、画像の一部を構成する。
【０００３】
しかし、白色光を基に、カラーフィルタによって発色させる方式では、入射光の１／３の光成分しか利用することができず、他の光成分はカラーフィルタによって吸収されてしまうので、光の利用効率が悪い。
【０００４】
青色光源を利用したカラー表示装置の例が特開２０００−１３１６８３号公報（特許文献１）や特開２００３−５１８２号公報（特許文献２）に記載されている。これらのカラー表示装置では、青色の光源光を吸収して赤色光を発する蛍光体と、青色の光源光を吸収して緑色光を発する蛍光体が備わっている。
【０００５】
また、２色性蛍光体による蛍光体層を備える液晶表示装置が特開２００１−３１８３７０号公報（特許文献３）に記載されている。
【先行技術文献】
【特許文献】
【０００６】
【特許文献１】特開２０００−１３１６８３号公報
【特許文献２】特開２００３−５１８２号公報
【特許文献３】特開２００１−３１８３７０号公報
【発明の概要】
【発明が解決しようとする課題】
【０００７】
上述のようにカラーフィルタの蛍光体として、２色性蛍光体が用いられる場合がある。しかし、２色性蛍光体の蛍光体層では、蛍光体分子の配列方向に平行な方向と直交する方向とで視認性が異なる。そのため、表示品位が劣る。
【０００８】
そこで、本発明は、２色性蛍光体を用いたカラー表示の際に、見る方向による視認性の違いを低減した色変換基板および表示装置を提供することを目的とする。
【課題を解決するための手段】
【０００９】
上記目的を達成するため、本発明に基づく色変換基板は、複数の画素領域が配列された主表面を有する基板と、上記主表面の少なくとも一部を覆う２色性蛍光体層とを備え、上記画素領域の各々は、異なる色をそれぞれ発現する複数の副画素領域を含んでおり、１つの上記副画素領域の内部は、上記２色性蛍光体層内の蛍光体分子が第１の配列方向に揃えられている第１配列方向領域と、上記２色性蛍光体層内の蛍光体分子が上記第１の配列方向と直交する第２の配列方向に揃えられている第２配列方向領域とを含む。
【発明の効果】
【００１０】
本発明によれば、１つの副画素領域の内部に第１配列方向領域と第２配列方向領域とが含まれるので、全体として見たとき、出射光の均一性が高くなり、見る方向による視認性の違いを低減した色変換基板とすることができる。
【図面の簡単な説明】
【００１１】
【図１】蛍光体分子の双極子モーメントの方向と発光方向との関係を示す説明図である。
【図２】本発明に基づく実施の形態１における色変換基板の全体の斜視図である。
【図３】本発明に基づく実施の形態１における色変換基板の部分断面図である。
【図４】本発明に基づく実施の形態１における色変換基板の画素領域の１つの拡大図である。
【図５】本発明を適用する前の色変換基板の部分平面図である。
【図６】本発明を適用した色変換基板の部分平面図である。
【図７】本発明を適用した色変換基板の変形例の部分平面図である。
【図８】角度θ，ψの定義に関する説明図である。
【図９】図５に示した色変換基板を用いたシミュレーション結果のグラフである。
【図１０】図６に示した色変換基板を用いたシミュレーション結果のグラフである。
【図１１】本発明に基づく実施の形態２における色変換基板の部分平面図である。
【図１２】図１１におけるＸＩＩ−ＸＩＩ線に関する矢視断面図である。
【図１３】本発明に基づく実施の形態３における色変換基板の部分平面図である。
【図１４】図１３におけるＸＩＶ−ＸＩＶ線に関する矢視断面図である。
【図１５】本発明に基づく実施の形態４における表示装置の概念図である。
【図１６】本発明に基づく実施の形態４における表示装置の第１の変形例の概念図である。
【図１７】本発明に基づく実施の形態４における表示装置の第２の変形例の概念図である。
【図１８】本発明に基づく実施の形態４における表示装置の第３の変形例の概念図である。
【図１９】光シャッタとして採用可能な透過型液晶表示パネルの概念図である。
【図２０】光シャッタとして採用可能な透過型ＭＥＭＳパネルの概念図である。
【発明を実施するための形態】
【００１２】
２色性蛍光体の発光強度は、蛍光体分子の配列方向に対して平行な方向と直交する方向とで異なる。この理由について、発明者らは、次のように考察した。蛍光体分子は双極子であるので、図１に示すようになる。図１において右向きの矢印で示されるのは蛍光体分子の双極子モーメントの方向である。図１に示すように、双極子モーメントの方向に対して直交する方向は等方発光であるのに対して、平行な方向はｓｉｎ2θで発光する。
【００１３】
この違いがあることにより、一定の配列方向を有する１つの２色性蛍光体から発せられる光は、見る方向によって異なる強度で認識されることとなる。
【００１４】
（実施の形態１）
（構成）
図２〜図４を参照して、本発明に基づく実施の形態１における色変換基板について説明する。本実施の形態における色変換基板１０１は、図２に示すように複数の画素領域２が配列された主表面１ａを有する基板１と、図３に示すように主表面１ａの少なくとも一部を覆う２色性蛍光体層６とを備える。図２では、基板１の主表面１ａに形成された各種層を図示省略しているが、実際には図３に示すように、基板１の主表面１ａには各種層が形成されている。図３に示すように、２色性蛍光体層６は、複数の区画に分かれており、ブラックマトリックス７によって隔てられている。２色性蛍光体層６およびブラックマトリックス７と基板１との間には配向層８が介在している。図３においては、下側が入射側である。光源からの光は、下から上に向かって入射する。
【００１５】
画素領域２の１つを拡大したところを図４に示す。画素領域２の各々は、異なる色をそれぞれ発現する複数の副画素領域３を含んでいる。異なる色とは、たとえば、赤、緑、青の３原色である。１つの副画素領域３が１つの色の発現を担当する。図３、図４などでは、赤、緑、青の各色を受け持つ副画素領域３を、Ｒ，Ｇ，Ｂでそれぞれ示している。ここでは、各副画素領域３にある２色性蛍光体層６が、紫外光を受光することによって、それぞれ、赤色、緑色、青色に蛍光発光する。副画素領域３の内側に表示した両頭矢印は、蛍光体分子の配列方向を示す。
【００１６】
１つの副画素領域３の内部は、２色性蛍光体層６内の蛍光体分子が第１の配列方向に揃えられている第１配列方向領域３１と、２色性蛍光体層６内の蛍光体分子が前記第１の配列方向と直交する第２の配列方向に揃えられている第２配列方向領域３２とを含む。
【００１７】
本実施の形態における色変換基板においては、好ましいことに、１つの画素領域２に属する複数の副画素領域３は、２色性蛍光体層６が紫外光を受光することによって、赤色で発光する性質を有する第１副画素領域Ｒと、２色性蛍光体層６が紫外光を受光することによって、緑色で発光する性質を有する第２副画素領域Ｇと、２色性蛍光体層６が紫外光を受光することによって、青色で発光する性質を有する第３副画素領域Ｂとを含む。
【００１８】
（作用・効果）
本実施の形態では、画素領域２に含まれる副画素領域３の内部に、２色性蛍光体層６内の蛍光体分子が第１の配列方向に揃えられている第１配列方向領域３１と、前記２色性蛍光体層内の蛍光体分子が前記第１の配列方向と直交する第２の配列方向に揃えられている第２配列方向領域３２とが含まれているので、１つの副画素領域３の全体として見たとき、出射光の均一性が高くなる。すなわち、見る方向による視認性の違いを大幅に解消することができる。
【００１９】
したがって、２色性蛍光体を用いたカラー表示の際に、見る方向による視認性の違いを低減した色変換基板とすることができる。
【００２０】
１つの副画素領域３内において、第１配列方向領域３１と第２配列方向領域３２との境界にはブラックマトリックス７があってもなくてもよい。
【００２１】
配向層８は、ポリイミド（ＰＩ）層、ポリビニルアルコール（ＰＶＡ）層などを形成した後にその表面にラビング処理を施すことによって形成することができる。
【００２２】
２色性蛍光体層６は、液晶性化合物からなるバインダと重合開始剤と２色性蛍光体色素とを溶媒に溶解、分散させたものを、配向膜８の表面に塗布し、液晶性化合物と蛍光体色素とを配向膜の配向方向に配列させ、乾燥、硬化させることによって形成することができる。
【００２３】
本実施の形態のように、紫外光を受光することによって各２色性蛍光体層６が各色で発光する構成の場合、励起波長域が紫外光の波長域であり、発光波長域が赤色、緑色、青色の光の波長域である。２色性蛍光体層６の形成には、所望の励起波長域と所望の発光波長域とを有する２色性蛍光体色素をバインダに分散させたものを用いればよい。たとえば、赤色の蛍光体色素としてローダミン系蛍光体色素を採用することができる。たとえば、緑色または青色の蛍光体色素としてクマリン系の有機蛍光体色素を採用することができる。バインダとしては、たとえば反応性メソゲンなどを採用することができる。「反応性メソゲン」とは、２個以上の芳香族環などからなる棒状または板状のメソゲン基と、少なくとも１つの重合性官能基とからなる化合物である。２色性蛍光体を配向させるためには、反応性メソゲンは棒状のメソゲン基を備えるものである方が好ましい。
【００２４】
互いに隣接する副画素領域３同士の間には両者を隔てるようにブラックマトリックス７を配置することが好ましい。なぜなら、ブラックマトリックス７によって隔てられることによって異なる種類の蛍光体同士が混じることを防止することができるからである。
【００２５】
各副画素領域６の内部での第１配列方向領域３１と第２配列方向領域３２との配列の仕方については、いくつかのバリエーションが考えられる。これについて以下に説明する。
【００２６】
本発明を適用する前の平面的構成が図５に示すようなものであるとする。図５では、色変換基板の全体を代表して、２×２で並ぶ合計４つの画素領域２を示している。各画素領域２には３つの副画素領域３が含まれている。図５においては、入射側から見たときの蛍光体分子の配列方向を両頭矢印によって表示している。全ての画素領域２の全ての副画素領域３において、２色性蛍光体層６の蛍光体分子は、配列方向が同一となっている。
【００２７】
本発明を適用した場合の第１の例では、図６に示すようになる。すなわち、各副画素領域３の縦に長い長方形を上下に２分割するようにして、第１配列方向領域３１と第２配列方向領域３２とが設けられている。入射側から見たとき、２色性蛍光体層６の蛍光体分子の配列方向は、第１配列方向領域３１においては右下がりの斜め方向となり、第２配列方向領域３２においては右上がりの斜め方向となっている。第１の例は、色変換基板１０１に該当する。
【００２８】
第２の例として、図７に示すようなものであってもよい。第１の例と比べて、各副画素領域３の分割の仕方は同じであるが、配列方向が異なる。入射側から見たとき、２色性蛍光体層６の蛍光体分子の配列方向は、第１配列方向領域３１においては長辺に平行な斜め方向となり、第２配列方向領域３２においては短辺に平行な方向となっている。
【００２９】
第１および第２の例として、各副画素領域３の縦に長い長方形を上下に２分割するようにして第１配列方向領域３１と第２配列方向領域３２とが設けられた例を示したが、縦に長い長方形を左右に２分割するようにして第１配列方向領域３１と第２配列方向領域３２とが設けられてもよい。
【００３０】
あるいは、各副画素領域３を第１配列方向領域３１と第２配列方向領域３２とに分けるに当たっては、もっと他の形状による分割であってもよい。
【００３１】
なお、赤（Ｒ）、緑（Ｇ）、青（Ｂ）の副画素領域３の配列される水平方向のピッチＨｒ，Ｈｇ，Ｈｂは、３０μｍ以上３００μｍ以下が好ましい。同じく垂直方向のピッチＶは、３０μｍ以上９００μｍ以下が好ましい。ここでは、Ｈｒ，Ｈｇ，Ｈｂは全て等しいものとして説明したが、Ｈｒ，Ｈｇ，Ｈｂは必ずしも等しくなくてもよい。
【００３２】
（出射光強度の比較）
図５に示した例と、図６に示した例とで、角度による出射光強度の違いを比較した。図５に示されたのは、本発明を適用しない例であり、図６に示されたのは、本発明を適用した例である。図８に示すように、θとψとを定義する。シミュレーション結果を図９および図１０に示す。図９および図１０においてグラフの縦軸は任意単位によって示されている。２色性蛍光体は、配向方向に平行な双極子モーメントを有するものとし、２色性蛍光体を分散させた樹脂の屈折率を１．６とした。
【００３３】
図５に示したように全ての副画素領域において同一の配列方向となっている色変換基板においては、図９に示すようになった。すなわち、ψ＝０°の場合にはθにかかわらず出射光強度は一定であったが、ψ＝９０°の場合にはθが増すにつれて出射光強度が大きく低下する傾向にあった。θ＝０°のときの出射光強度を１．００とするとθ＝５０°のときの出射光強度は０．７７にまで低下した。
【００３４】
一方、図６に示したように各副画素領域の内部が２つの領域に分けられて蛍光体分子の配列方向が互いに直交する方向になるようにした場合には、図１０に示すようになった。図１０のグラフでは、２本の曲線が重なって１本の曲線のように見えている。すなわち、ψ＝０°の場合もψ＝９０°の場合も同じであり、θが増すにつれて出射光強度が緩やかに低下する傾向にあった。ψが変わっても同じ特性が維持されるという点、および、θが大きくなったときの出射光強度の低下が小さいという点で、図６の例の方が図５の例よりも優れていることがわかった。
【００３５】
（実施の形態２）
（構成）
図１１および図１２を参照して、本発明に基づく実施の形態２における色変換基板について説明する。本実施の形態における色変換基板１０２の部分平面図を図１１に示し、図１１におけるＸＩＩ−ＸＩＩ線に関する矢視断面図を図１２に示す。本実施の形態における色変換基板１０２は、基本的には、実施の形態１で説明した色変換基板１０１と同様であるが、以下の点が異なる。
【００３６】
１つの画素領域２に属する複数の副画素領域３は、２色性蛍光体層６が青色光を受光することによって、赤色で発光する性質を有する第１副画素領域と、前記２色性蛍光体層が青色光を受光することによって、緑色で発光する性質を有する第２副画素領域と、青色光を受光することによって、青色光のまま透過または散乱させる性質を有する第３副画素領域とを含む。青色光に関しては、単に透過させるよりは散乱させることが好ましい。第３副画素領域において青色光を透過させる場合、第３副画素領域には入射光をそのまま透過させる透明なフィルタが配置されていればよい。第３副画素領域において青色光を散乱させる場合、第３副画素領域には青色光のみを散乱させる拡散層が配置されていればよい。
【００３７】
（作用・効果）
本実施の形態においても、実施の形態１と同様の効果を得ることができる。本実施の形態における色変換基板では、青色光を供給することによって、赤、緑、青の３原色の光をそれぞれ出射することができるので、光源として青色光源を用いることができる。
【００３８】
（実施の形態３）
（構成）
図１３および図１４を参照して、本発明に基づく実施の形態３における色変換基板について説明する。本実施の形態における色変換基板１０３の部分平面図を図１３に示し、図１３におけるＸＩＶ−ＸＩＶ線に関する矢視断面図を図１４に示す。本実施の形態における色変換基板１０３は、基本的には、実施の形態２で説明した色変換基板１０２と同様であるが、以下の点が異なる。
【００３９】
第２配列方向領域３２においては、２色性蛍光体層６よりも入射側に入射光の偏光方向を９０°ずらして透過させる位相差板１０が配置されており、第１配列方向領域３１には、位相差板１０は配置されていない。このように局所的に位相差板１０を配置するためには、特開平１１−８４３８５号公報に記載されているようにリターダをパターニングして用いることとしてよい。また、パターンドリターダシートを用いてもよい。「パターンドリターダシート」とは、半波長のレタデーションが所望の領域のみに所望のパターンで配置され、他の領域にはレタデーションが配置されていないシートである。パターンドリターダは特開２００１−５９９４８号公報などにより公知の技術である。
【００４０】
基板１と２色性蛍光体層６との間には配向層８が介在している。２色性蛍光体層６と位相差板１０との間には配向層９が介在している。
【００４１】
図１３において両頭矢印で示されているのは、入射側から見た入射光の偏光方向である。図１４において位相差板１０より下側に両頭矢印で示されているのは、入射光の偏光方向である。図１４において、２色性蛍光体層６の中に両頭矢印で示されているのは、蛍光体分子の配列方向である。
【００４２】
ただし、図１４に両頭矢印で示されたものは、いずれも、実際に断面図で見て斜め方向となっているわけではなく、説明の便宜のために、平面図で見たときの偏光方向または配列方向を断面図の中に模式的に表示したものである。
【００４３】
光源から入射する光は、青色光であるものとする。さらに、光源から入射する光は、図１４において位相差板１０の下側に両頭矢印で示すように直線偏光の光となっているものとする。この入射光の偏光方向は、第１配列方向領域３１における蛍光体分子の配列方向と平行になっているものとする。
【００４４】
図１３においては、２色性蛍光体層６の一部が位相差板１０によって覆い隠されているが、この隠れた部分の２色性蛍光体層６は、露出している部分の２色性蛍光体層６に比べて蛍光体分子の配列方向が垂直となっている。すなわち、位相差板１０を取り去った状態では、図１１に示した構成と同様となっている。
【００４５】
（作用・効果）
一般的に、２色性蛍光体層６は、分子の配列方向と平行な方向の直線偏光が入射したときに吸収率が大きくなり、その結果、蛍光発光による発光量が大きくなる。本実施の形態では、図１４に示すように、第１配列方向領域３１には位相差板１０は配置されていないので、下方から進行してきた入射光は、第１配列方向領域３１においては元の偏光方向を維持したまま２色性蛍光体層６に入射する。入射光の偏光方向が２色性蛍光体層６の配列方向と平行になっているので、第１配列方向領域３１においては吸収率が大きくなり、第１配列方向領域３１における２色性蛍光体層６から出射する光量が大きくなる。
【００４６】
一方、図１４に示すように、第２配列方向領域３２には位相差板１０が配置されており、位相差板１０は入射光の偏光方向を９０°ずらして透過させる性質を有するので、入射光は図中下から上へと位相差板１０を透過する際に偏光方向が９０°変わり、入射光の偏光方向は、第２配列方向領域３２における２色性蛍光体層６の配列方向と等しくなる。入射光はその状態で２色蛍光体層６に入射するので、第２配列方向領域３２においても吸収率が大きくなり、第２配列方向領域３２における２色性蛍光体層６から出射する光量が大きくなる。
【００４７】
以上のように、第１配列方向領域３１、第２配列方向領域３２の両方において、出射光の光量を大きくすることができる。
【００４８】
ここでは、光源が青色光源であるものとして説明したが、光源から入射する光は、青色光でも紫外光でも他の種類の光でもよい。ここで説明した色変換基板１０３の構造は、青色光源に対応した構成となっており、他の種類の光を用いる場合は、色変換基板の構成を適宜変更すればよい。たとえば、図１３に示した例では、青色光源を前提としていたため、青色を発色するための副画素領域が透明となっていたが、たとえば紫外光源を利用する場合には、青色を発色するための副画素領域には紫外光を受けて青色に発光する蛍光体を配置すればよい。その場合は、青色に発光する蛍光体を覆うように位相差板１０が延在することが好ましい。
【００４９】
光シャッタとしては、カラーフィルタのない液晶表示パネルを用いることができる。光シャッタがこのような液晶表示パネルである場合には、色変換基板へと入射する光は、偏光状態になっているので、本実施の形態における色変換基板が特に好適である。
【００５０】
（実施の形態４）
（構成）
図１５を参照して、本発明に基づく実施の形態４における表示装置について説明する。本実施の形態における表示装置３０１は、実施の形態１で説明した色変換基板１０１と、光シャッタ５２と、紫外光源６１とを備える。色変換基板１０１と光シャッタ５２とは、互いに位置合わせをして周囲を接着剤で固定されている。
【００５１】
（作用・効果）
本実施の形態では、各副画素領域内に蛍光体分子の配列方向が互いに直交する２つの領域が設けられている色変換基板１０１を備えているので、見る方向による視認性の違いを低減した高品位な表示装置を実現することができる。
【００５２】
ここでは、紫外光源を用いる例について説明したが、紫外光源を用いる方式の他に、青色光源を用いる方式も考えられる。
【００５３】
以下には、青色光源を用いる場合の例について説明する。たとえば、図１６に示す表示装置３０２のようなものであってもよい。表示装置３０２は、実施の形態２で説明した色変換基板１０２と、光シャッタ５２と、青色光源とを備える。青色光源は、たとえば青色光を発するＬＥＤ１３を多数配列したものであってよい。
【００５４】
さらに変形例として図１７に示す表示装置３０３のようなものであってもよい。表示装置３０３においては、導光板１５の両面に光学シート類１６を配置したものに対して側面から青色光を発するＬＥＤ１３によって光を入射させる構成となっている。複数のＬＥＤ１３が導光板１５のエッジに沿って一列に配列されている。
【００５５】
図１８に示す表示装置３０４のようなものであってもよい。表示装置３０４においては、実施の形態２で説明した色変換基板１０２と、光シャッタ５２と、青色光を発する有機ＥＬ照明装置６２とが備わっている。有機ＥＬ照明装置６２に代えて青色光を発する無機ＥＬ照明装置を用いてもよい。
【００５６】
なお、光シャッタ５２は、光源側から入射した光の強度を領域（画素）ごとに調節して視認側へ出射する機能を有するものであればよく、具体的構成は限定されない。光シャッタ５２を実現するためには、公知技術によってさまざまな構成が考えられる。たとえば、光シャッタ５２は、図１９に示すような透過型液晶表示パネル２５であってもよい。透過型液晶表示パネル２５は、液晶層（図示せず）を挟むように互いに貼り合わせられた視認側基板２８ａおよび光源側基板２８ｂとこれらの両面に貼りつけられた偏光板２９とを備える。ただし、透過型液晶表示パネル２５はカラーフィルタを備えない。液晶層を満たす液晶のタイプとしては、ＴＮ（Twisted Nematic）型、ＶＡ（Vertical Alignment）型，ＥＣＢ（Electrically Controlled Birefringence）型、ＩＰＳ（In-Plane Switching）型などが挙げられる。
【００５７】
あるいは、光シャッタ２は、図２０に示すような透過型ＭＥＭＳ（Micro Electro Mechanical Systems）パネル４１であってもよい。透過型ＭＥＭＳパネル４１は、透光性の基板４２とその表面に形成されたシャッタ４３および遮光膜４４とを備える。遮光膜４４には開口部４５が設けられており、電気信号によってシャッタ４３が変位することができる。シャッタ４３の位置によって、開口部４５を透過する光を遮断するか否か、あるいは、どの程度の比率で透過させるかを切り替えることができる。
【００５８】
ただし、実施の形態３で説明した色変換基板１０３については、偏光状態の光を入射させることが好ましい。そこで、色変換基板１０３を用いた表示装置の一例として、実施の形態３で説明した色変換基板１０３と、液晶表示パネルとしての透過型液晶表示パネル２５と、光源とを備える、表示装置が考えられる。
【００５９】
なお、上記実施の形態のうち複数を適宜組み合わせて採用してもよい。
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００６０】
１  基板、１ａ  主表面、２  画素領域、３  副画素領域、６  ２色性蛍光体層、７  ブラックマトリックス、８，９  配向層、１０  位相差板、１３  ＬＥＤ、１５  導光板、１６  光学シート類、２５  透過型液晶表示パネル、２８ａ  視認側基板、２８ｂ  光源側基板、２９  偏光板、３１  第１配列方向領域、３２  第２配列方向領域、４１  透過型ＭＥＭＳパネル、４２  基板、４３  シャッタ、４４  遮光膜、４５  開口部、５２  光シャッタ、６１  紫外光源、６２  有機ＥＬ照明装置、１０１，１０２，１０３  色変換基板、３０１，３０２，３０３，３０４  表示装置。
【図１】
2014089332.tif 000003
【図２】
2014089332.tif 000004
【図３】
2014089332.tif 000005
【図４】
2014089332.tif 000006
【図５】
2014089332.tif 000007
【図６】
2014089332.tif 000008
【図７】
2014089332.tif 000009
【図８】
2014089332.tif 000010
【図９】
2014089332.tif 000011
【図１０】
2014089332.tif 000012
【図１１】
2014089332.tif 000013
【図１２】
2014089332.tif 000014
【図１３】
2014089332.tif 000015
【図１４】
2014089332.tif 000016
【図１５】
2014089332.tif 000017
【図１６】
2014089332.tif 000018
【図１７】
2014089332.tif 000019
【図１８】
2014089332.tif 000020
【図１９】
2014089332.tif 000021
【図２０】
2014089332.tif 000022